(57)【特許請求の範囲】
【請求項１】
刺繍用シートの上に、離型シートを挟みまたは挟まないで、他のシートを複数枚重ねて刺繍し，
前記刺繍用シートの裏面に表れた上糸または上糸と下糸とを前記刺繍用シートの裏面に接着固定し，
前記刺繍用シートに重ねたシートの最上段のシートとその下のシートとの間で上糸を切断し，
前記刺繍用シートから、それに重ねたシートまたはシートおよび離型シートを引き離し取り除くことにより，
前記刺繍用シートの表面に、上糸を起立させて房状とすることを特徴とする房毛模様の形成方法。
【請求項２】
複数のシートを重ねたものの下に、離型シートを重ねて刺繍し，
離型シートの裏面に刺繍用シートを重ね，
離型シートの裏面に表れた上糸または上糸と下糸とを前記刺繍用シートに接着固定し，  前記刺繍用シートに重ねたシートの最上段のシートとその下のシートとの間で上糸を切断し，
前記刺繍用シートから、それに重ねたシートおよび離型シートを引き離し取り除くことにより，
前記刺繍用シートの表面に、上糸を起立させて房状とすることを特徴とする房毛模様の形成方法。
【請求項３】
刺繍後に、刺繍用シートまたは他のシートまたは離型シートの裏面に現れた上糸または上糸と下糸を、刺繍時に重ねてある刺繍用シート、または、刺繍後に重ねた刺繍用シートの裏面または表面に接着固定する方法が、熱融着材料で形成した糸を下糸とするか、または、通常糸と熱融着材料で形成した糸とを撚るか、または普通糸を熱融着材料で覆った糸を下糸として用いて刺繍し、刺繍後に前記下糸を加熱してその熱融着材料を溶かし、それで上糸または上糸と下糸を前記刺繍用シートの裏面または表面に接着固定するか，
または、刺繍用シートに他のシートを重ねて、普通糸の上糸だけで、または、普通糸の上糸と下糸とで刺繍し、前記刺繍時または刺繍後に前記刺繍用シートの裏面または表面に熱融着シートを重ね、加熱プレスして熱融着シートを溶かし、それで上糸または上糸と下糸を前記刺繍用シートの裏面または表面に接着固定する，
ことを特徴とする請求項１または２に記載の房毛模様形成方法。
【請求項４】
刺繍用シートを熱融着シートの上に重ね、更に、前記刺繍用シートの上に他のシートを複数枚重ね、上糸のみで刺繍した後、前記熱融着シートを加熱溶融させて前記刺繍用シートの裏面に現れた上糸を前記刺繍用シートの裏面に接着させ、前記刺繍用シートに重ねたシートの最上段のシートとその下のシートとの間で上糸を切断し、前記刺繍用シートから、それに重ねたシートを引き離し取り除くことにより、前記刺繍用シートの表面に、上糸を起立させて房状とすることを特徴とする房毛模様の形成方法。
【発明の詳細な説明】
【０００１】
【発明の属する技術分野】
この発明は、房毛状で起立した房毛模様の形成方法およびその方法で形成した房毛模様に関するものである。
【０００２】
【従来の技術】
従来の刺繍模様は、上糸が布地の表面に密着して平面的であるので、上糸が房毛状で起立した立体的な房毛模様が望まれ、その房毛模様の形成方法とその方法による房毛模様が特開平１１−３１５４６６により開示されている。
その房毛模様形成方法は、図７に示すように、カット用具３を用い手作業で、刺繍により布地１の表面に表れた上糸２の中間でカットし、房毛４とする方法である。図中５は下糸である。
【０００３】
【発明が解決しようとする課題】
上記房毛の起毛方法は、布地を傷つけないように、また、上糸と布地の間にカット用具を挿入するのに、大変神経を使い、大変な時間をかけて行うものである。上記公開公報の明細書〔００１７〕には次のように記載されている。
「先端６は・・・、生地４ａの端部に位置する１ａ側から刺繍１ａ−ａと生地４ａとの隙間に、手作業にて図３（Ｂ）に示すように丁寧に注意深く挿入され、該刃金８により刺繍糸１ａ−ａの中央部をカットし、順に刺繍糸１ａ−ｂ、１ａ−ｃと次々とカットを行う。」
このような方法では、いくら時間がかかってもよい高度に熟練した個人の趣味的な刺繍には採用できるが、営業的な刺繍にはとても採用することが出来ない。
【０００４】
また上記方法では、切断して房毛とした上糸が抜けないように、下糸を熱で接着加工する手段が講じられている。
その手段としては、上記明細書〔００１５〕に、下糸等にナイロン等の熱接着性糸を使用したり、または、下糸に普通糸を用いた場合には、ナイロンまたはウレタン系のホットメルトフィルム等のシートを挟んで同時に刺繍し、その後、裏面を約１５０度位に加熱しながらプレス加工して固着する手段が記載されている。この加熱プレスにより当然布地の表面の刺繍模様すなわち上糸も加熱プレスされるから、この上糸にはいわゆる「癖」がついていて、単に中間で切断しても、上糸は布地の表面に沿って寝ており起毛しない。これを起毛させようとすれば、特殊な方法で根気よく大変な時間をかけて起こし、「癖」を直さなければならない。この様なことはとても営業的に行えるものではない。
【０００５】
この発明は、神経や時間をあまり使うことなく簡単容易に起立して房毛状になった房毛模様を形成する方法およびそれによる房毛模様を提供することを目的とする。
【０００６】
【課題を解決するための手段】
刺繍用シートの上に、離型シートを挟みまたは挟まないで、他のシートを１または複数枚重ねて刺繍し，
前記刺繍用シートの裏面に表れた上糸または上糸と下糸とを前記刺繍用シートの裏面に接着固定し，
前記刺繍用シートに重ねたシートの最上段のシートの表面に表れた上糸を全部切除するか、または前記刺繍用シートに重ねたシートの最上段のシートとその下のシートとの間で上糸を切断し，
前記刺繍用シートから、それに重ねたシートまたはシートおよび離型シートを引き離し取り除くことにより，
前記刺繍用シートの表面に、上糸を起立させて房状とする。
【０００７】
１枚のシートに、または、複数のシートを重ねたものの下に、離型シートを重ねて刺繍し，
離型シートの裏面に刺繍用シートを重ね，
離型シートの裏面に表れた上糸または上糸と下糸とを前記刺繍用シートに接着固定し，
前記刺繍用シートに重ねたシートの最上段のシートの表面に表れた上糸を全部切除するか、または前記刺繍用シートに重ねたシートの最上段のシートとその下のシートとの間で上糸を切断し，
前記刺繍用シートから、それに重ねたシートおよび離型シートを引き離し取り除くことにより，
前記刺繍用シートの表面に、上糸を起立させて房状とすることを特徴とする。
【０００８】
刺繍後に、刺繍用シートまたは他のシートまたは離型シートの裏面に現れた上糸または上糸と下糸を、刺繍時に重ねてある刺繍用シート、または、刺繍後に重ねた刺繍用シートの裏面または表面に接着固定する方法として、
熱融着材料で形成した糸を下糸とするか、または、通常糸と熱融着材料で形成した糸とを撚るか、または普通糸を熱融着材料で覆った糸を下糸として用いて刺繍し、刺繍後に前記下糸を加熱してその熱融着材料を溶かし、それで上糸または上糸と下糸を前記刺繍用シートの裏面または表面に接着固定するか，
または、刺繍用シートに他のシートを重ねて、普通糸の上糸だけで、または、普通糸の上糸と下糸とで刺繍し、前記刺繍時または刺繍後に前記刺繍用シートの裏面または表面に熱融着シートを重ね、加熱プレスして熱融着シートを溶かし、それで上糸または上糸と下糸を前記刺繍用シートの裏面または表面に接着固定する，
方法を用いる。
【０００９】
上糸と、下糸普通糸の色彩を異にすることが好ましい。
【００１０】
【発明の実施の形態】
この発明の実施の形態を図面により説明する。
刺繍用シート６の上に１または複数のシート９を重ねる。図１においてはシート９ａ、９ｂ、９ｃの３枚を重ねている。
刺繍用シート６は、布地、皮等いずれでもよく、シート９は、布地、紙、プラスチックフィルム等何れでもよい。
【００１１】
次いで、その上に普通の刺繍用の上糸７と、普通糸と熱融着糸とを撚った下糸８、または、普通糸に熱融着材料でコーティングした下糸８を用いて刺繍する。
図１（Ａ）はシート９ｃの表面に表れた上糸７による刺繍を示し、（Ｂ）はシート６の裏面に表れた上糸７と下糸８を示す。
【００１２】
次いで、刺繍用シート６の裏面から、または刺繍用シート６の裏とシート９ｃの表面の双方から加熱プレスして下糸８の熱融着材料を溶かす。
刺繍用シート６の裏面では、下糸８の普通糸と上糸７とが、溶けた熱融着材により刺繍用シート６の裏面に接着し固定する。
【００１３】
図２は刺繍用シート６とシート９とを重ねて刺繍した断面を示すものである。
一番上のシート９すなわち図においてシート９ｃの表面に表れた上糸７の全部を取り除く。図３の黒で塗りつぶした部分の上糸７が取り除かれる部分である。
この上糸７の取り除きは回転する刃物で削り取るのが好ましい。
【００１４】
シート９ｃの表面に表れた上糸７全部を取り除いた後に、刺繍用シート６の上に重ねられたシート９を刺繍用シート６から引き離して全部取り除く。
シート９ｃ表面の上糸７が取り除かれているので、刺繍用シート６を押さえながらシート９を順次上のものから持ち上げると、シート９は刺繍用シート６から持ち上がり取り除くことが出来る。
【００１５】
図３は、シート９を取り除いた後の刺繍用シート６の表面の上糸７の状態を示す。
上糸７は起立して房状をなしており、その房の長さは取り除いたシート９の厚みにほぼ等しい。
従って、刺繍用シート６に重ねるシート９の厚さ、および枚数により、房毛の長さを調整することができる。
【００１６】
下糸として熱融着糸を用いてもよい。
この場合、前記のとおり、刺繍用シート６にシート９を重ね、刺繍した後に加熱すると、図４に示すように、刺繍用シート６の裏面では、下糸８は溶けて上糸７だけが残り、下糸８の溶融材で刺繍用シート６の裏面に接着固定する。
その後に前述の要領でシート９を刺繍用シート６から離し取り除く。
【００１７】
刺繍用シート６とシート９を重ねて刺繍すると、上糸７と下糸８とで刺繍用シート６とシート９とを締めるので、図２に示すように、上糸７が一番上のシート９の表面で上下に出入りするところが少し窪み、シート９の表面が平坦でない。
シート９の表面に表れた上糸を刃物で削り取る際には、窪みにおいては刃物を少し強くシート９の表面に押すようにして当てなければならない。
【００１８】
そこで、刺繍用シート６の上に２枚またはそれ以上の枚数のシート９を重ねて、前記の上糸７と下糸８を用いて刺繍し、前記のとおり加熱または加熱プレスして下糸８の熱融着材を溶かして刺繍用シート６の裏面で上糸７を接着固定した後に、一番上のシート９とその下のシート９、図２においてはシート９ｃとシート９ｂとの間に刃物を入れて上糸７を切断し、しかる後に、シート９を全て取り外す。
刺繍用シート６の表面では、刺繍された上糸７が切断されて起立し房状をなす。
起立している全部または一部の上糸７の先端部を切り取ることにより起立する高さを調整してもよい。
【００１９】
刺繍用シート６が薄い生地である場合や、全面または部分的にレース編である場合には、加熱で溶けた融着材がにじみ出たり、レースの網目から出て、刺繍用シート６の上に接しているシート９、図１および２においてはシート９ａの裏面に付着し、刺繍用シート６とそれに接するシート９とが接着してしまい、前記のとおり、上糸７を切除後にシート９を取り外すことが出来なくなるおそれがある。
【００２０】
そこで、刺繍用シート６が薄い生地や、レース編である場合には、離型紙または離型材で裏面を覆った布等離型シートを刺繍用シート６の上に重ね、その上にシート９を重ねれば、加熱して熱融着材が溶けても離型シートに接着しないので、離型シートおよびシート９を刺繍用シート６から取り外すことが出来る。
【００２１】
下糸８に普通糸を用いる場合には、刺繍用シート６の裏面に熱融着フィルムまたはシートを重ね、刺繍用シート６の表面に１または複数のシート９を重ねて刺繍し、加熱または加熱プレスして熱融着フィルムまたはシートを溶かし、刺繍用シート６の裏面に表れた上糸７と下糸８とを刺繍用シート６に接着した後、前述のとおり、最上段のシート９の表面に表れた上糸２を全部取り除くか、または、最上段のシート９とその下のシート９との間に刃物を入れて上糸７を切断すると、刺繍用シート６の表面の刺繍模様の上糸７は起立して房状となる。
前記のように、刺繍用シート６が薄い生地や、レース編である場合には、離型紙または離型材で裏面を覆った布等離型シートを刺繍用シート６の上に重ね、その上にシート９を重ねればよい。
【００２２】
他の実施の形態は、刺繍用シート６にシート９を重ねないで、離型紙または離型布等離型シートの上に、シート９の１枚または複数枚を重ね、上糸７と、熱融着糸または普通糸と熱融着糸を撚った糸、あるいは、普通糸を熱融着材料でコーティングした糸のいずれかを下糸８として刺繍する。
【００２３】
刺繍後に、離型シートの下に刺繍用シート６に重ね、刺繍の上からまたは刺繍用シート６の裏面から加熱加圧する。
下糸８の融着材料が溶けて離型シートの裏面に表れていた上糸７および下糸８の普通糸が刺繍用シート６の表面に接着し固定する。
【００２４】
他の実施の形態は、刺繍用シート６にシート９を重ねないで、離型紙または離型布等離型シートの上に、シート９の１枚または複数枚を重ね、更にその離型シートの下に熱融着フィルムまたはシートを重ねて、上糸７と普通糸の下糸８とで刺繍する。
【００２５】
刺繍後に、刺繍用シート６を前記熱融着フィルムまたはシートの下に重ねて刺繍の上からまたは刺繍用シート６の裏面から加熱加圧する。
上記の熱融着フィルムまたはシートは刺繍時には離型シートに重ねないで、離型シートの上に、シート９の１枚または複数枚を重ねて刺繍し、刺繍後に離型シートの下に熱融着フィルムまたはシートを重ね、更に熱融着フィルムまたはシートの下に刺繍用シート６を重ねて加熱プレスしてもよい。
熱融着フィルムまたはシートが溶けて熱融着フィルムの裏面に表れていた上糸７および普通糸の下糸８が刺繍用シート６の表面に接着し固定する。
【００２６】
次いで、先の実施の形態について説明した要領で、最上段のシート９の表面に表れた刺繍模様の上糸７を全部取り除くか、または最上段のシート９とその下のシート９との間に刃物を入れて上糸を切断する。
【００２７】
次いで刺繍用シート６を押さえながら、離型シートとシート９とを引き上げて取り外す。
刺繍模様は刺繍用シート６の表面に移され、上糸は起立して房状をなす。
ただし、下糸８に熱融着糸を用いた場合は、刺繍模様は図５に示すとおり、起立した上糸７だけで形成されており、下糸８に普通糸または普通糸と熱融着材料よりなる糸を用いた場合は、刺繍模様は、図６に示すとおり、起立した上糸７と、その根元で絡む下糸８とで形成されている。
【００２８】
図６に示す房毛模様を形成する場合に、上糸７と下糸８の普通糸の色を異にすることにより、色彩豊かな刺繍模様を表現することができる。
【００２９】
下糸を用いないで、上糸のみで刺繍する方法がある。この場合には、上記の熱融着シートを用いて、上糸を刺繍用シートに接着固定する方法を用いる。
【００３０】
上糸と下糸とで刺繍する公知の方法は種々あって、裏面にあらわれる上糸と下糸の状態にも種々あって、図面に示すものに限定するものではない。
【００３１】
【発明の効果】
この発明による刺繍方法によれば、刺繍用シートを傷つけることなく、また、神経を使うことなく、容易に短時間で刺繍模様の上糸を起立した房状のものとすることが出来る。
そして、それにより起立した房毛の先端部は、従来の方法によるもののように、癖がなく、曲がったりしていないので、癖を直したり、先端を切断するような特別な作業を必要としない。
また、この発明に係る方法によれば、上糸が起立して房状をなした房毛模様を容易に他の布地に移すことが出来る。
また、起立した上糸とそれに絡む下糸との房毛模様も容易に他の布地に移すことが出来、しかも、上糸と下糸との色彩を変えることにより色彩豊かな刺繍模様を形成することが出来る。
【図面の簡単な説明】
【図１】（Ａ）は上糸切除または切断前の刺繍模様の説明図であり、（Ｂ）は刺繍用シートまたは他の布地の裏面に表れた上糸と下糸との状態を示す説明図である。
【図２】複数枚のシートに刺繍した場合の要部断面説明図である。
【図３】刺繍用シートの表面に起立し房状となった上糸の状態を示す説明図である。
【図４】熱融着糸を下糸として刺繍し、加熱して溶かし、上糸を接着固定した状態を示す説明図である。
【図５】起立し房状となった上糸を刺繍用シートに移した状態の説明図である。
【図６】起立し房状となった上糸とそれに絡む下糸とを刺繍用シートに移した状態の説明図である。
【図７】従来の刺繍の房毛形成における上糸切断説明図である。
【符号の説明】
１  布地
２  上糸
３  カット用具
４  房毛
５  房毛
５  下糸
６  刺繍用シート
７  上糸
８  下糸
９  シート
【図１】
0003692021.tif 000002
【図２】
0003692021.tif 000003
【図３】
0003692021.tif 000004
【図４】
0003692021.tif 000005
【図５】
0003692021.tif 000006
【図６】
0003692021.tif 000007
【図７】
0003692021.tif 000008